(57)【要約】人体に対する害やシステムに対するダメージがなく、レジオネラ属菌が生息するバイオフィルム等の形成を抑制し、且つレジオネラ属菌、緑膿菌、大腸菌等の菌を、有効に消毒又は殺菌しながら、また泡立ちを抑制しながら水を循環させることが可能な循環式水槽システムの水循環方法であって、循環式水槽システムの水循環経路に、第４級アンモニウム塩と、２−フェノキシエタノールと、消泡剤とを含み、且つ前記第４級アンモニウム塩及び前記２−フェノキシエタノールを合計で１０〜１００ｐｐｍの濃度で含む水を循環させる。【特許請求の範囲】
【請求項１】
循環式水槽システムの水循環経路に、第４級アンモニウム塩と、２−フェノキシエタノールと、消泡剤とを含み、且つ前記第４級アンモニウム塩及び前記２−フェノキシエタノールを合計で１０〜１００ｐｐｍの濃度で含む水を循環させる循環式水槽システムの水循環方法。
【請求項２】
第４級アンモニウム塩と２−フェノキシエタノールとの割合が、質量比で３０：７０〜７０：３０である請求の範囲１に記載の水循環方法。
【請求項３】
循環式水槽システムが、エアロゾルを発生させる、渦流浴、泡風呂、ジャグジー又はこれらを複合した装置を備える請求の範囲１に記載の循環式水槽システムの水循環方法。
【請求項４】
循環式水槽システムの循環水に溶解させて使用する殺菌・消毒液組成物であって、第４級アンモニウム塩と、２−フェノキシエタノールと、第４級アンモニウム塩及び２−フェノキシエタノールを溶解するアルコールと、消泡剤とを含む循環式水槽システム用殺菌・消毒液組成物。
【請求項５】
前記アルコールが、エタノール、イソプロピルアルコール及びこれらの混合物からなる群より選択される請求の範囲４に記載の殺菌・消毒組成物。
【請求項６】
第４級アンモニウム塩と２−フェノキシエタノールとの割合が、質量比で３０：７０〜７０：３０である請求の範囲４に記載の殺菌・消毒液組成物。
【発明の詳細な説明】
技術分野
本発明は、水又は湯の循環式システムを備えた、共同浴場、家庭用浴槽、屋内外プール等の循環式水槽システムの水循環方法及び該方法に用いる循環式水槽システム用殺菌・消毒液組成物に関する。更に詳細には、人体に対する害やシステムに対するダメージがなく、レジオネラ属菌等が生息するバイオフィルムの形成を抑制し、且つレジオネラ属菌、緑膿菌、大腸菌等の菌を、有効に消毒又は殺菌しながら水を循環させることが可能な循環式水槽システムの水循環方法及び該方法に用いる循環式水槽システム用殺菌・消毒液組成物に関する。
背景技術
水又は湯の循環式システムを備えた、共同浴場、家庭用浴槽、屋内外プール等の循環式水槽システムは、その浄化のために通常、プレフィルターやヘアキャッチャー等の粗大汚濁物を除去する装置、並びに濾材を充填した濾過機等を循環経路に備える。また、該システムの殺菌・消毒のために、主に次亜塩素酸ナトリウム溶液又はイソシアヌル酸ナトリウムを所定濃度で水又は湯に溶解させて循環させることが行なわれている。更に、浴槽水のみを消毒するために、オゾン、紫外線、光触媒、塩素剤が使用されることもある。
しかし、近年、このような浄化、殺菌を施した循環式水槽システムにおいてもレジオネラ症等の感染が問題となっている。特に、渦流浴、泡風呂、ジャグジー等が備えられた循環式水槽では、エアロゾルが発生し、人の呼吸気管に該エアロゾルが吸入される恐れがあるためにこのような問題の解決が急務である。
このようなレジオネラ症の原因としては、循環式水槽システムにおける、曲がった管路や継目、更には浄化槽等の物理的洗浄が困難な箇所に、耐塩素性菌や藻類によるバイオフィルムが形成されることが考えられる。該バイオフィルム内にレジオネラ属菌等が生息した場合、次亜塩素酸ナトリウム溶液等の塩素系殺菌剤は、該レジオネラ属菌に対して所望の作用を示さない。このようなバイオフィルムは、新設の循環式水槽システムにおいて毎日水や湯を交換した場合であっても数ヶ月で形成されることがある。そして、形成されたバイオフィルムは、物理的に除去しうる場所に形成されることが少なく、化学的に除去する必要が生じるが、従来の塩素系殺菌剤の濃度では、十分に除去することができないのが実状である。
そこで、バイオフィルムを形成させないために、塩素系殺菌剤の濃度を高くする方法が考えられる。しかし、塩素系殺菌剤の濃度を高くしたために循環式水槽システム自体が破壊された例もあり、塩素系殺菌剤はシステムに対して多大なダメージを与えるため、バイオフィルムを形成させない程度に濃度を高くすることができないという問題がある。しかも、塩素系殺菌剤の濃度を高くすると人体に対しても悪影響を与えるため、その濃度の上限を変えることはできない。更に、塩素系殺菌剤は、特有の臭いがあり、濃度を高くすると入浴者等に不快感を生じさせるという問題がある。
発明の開示
本発明の目的は、人体に対する害やシステムに対するダメージがなく、レジオネラ属菌が生息するバイオフィルム等の形成を抑制し、且つレジオネラ属菌、緑膿菌、大腸菌等の菌を、有効に消毒又は殺菌しながら、また泡立ちを抑制しながら水を循環させることが可能な循環式水槽システムの水循環方法及び該方法に用いる循環式水槽システム用殺菌・消毒液組成物を提供することにある。
本発明の別の目的は、塩素系殺菌剤による特有の臭いがなく、レジオネラ属菌等が生息するバイオフィルムの形成を抑制し、且つレジオネラ属菌、緑膿菌、大腸菌等の菌を、有効に消毒又は殺菌しうる循環式水槽システム用殺菌・消毒液組成物を提供することにある。
本発明者らは、上記課題を解決するため鋭意検討を重ねた。その結果、第４級アンモニウム塩及び２−フェノキシエタノールを、人体に対する害やシステムに対するダメージがない特定の濃度で、循環水に溶解させて、システム内を循環させることにより、塩素系殺菌剤では十分な抑制ができないレジオネラ属菌が生息するバイオフィルムの形成を抑制し、且つレジオネラ属菌、緑膿菌、大腸菌等の菌を、有効に消毒又は殺菌しうることを見出した。また、第４級アンモニウム塩及び２−フェノキシエタノールを、循環水や湯に所望濃度で溶解させ、且つ入浴者等に不快な泡等が生じないようにするために、特定のアルコールを溶媒に用い、且つ消泡剤を適量配合することにより上記課題を解決しうることを見出し本発明を完成した。
本発明によれば、循環式水槽システムの水循環経路に、第４級アンモニウム塩と、２−フェノキシエタノールと、消泡剤とを含み、且つ前記第４級アンモニウム塩及び前記２−フェノキシエタノールを合計で１０〜１００ｐｐｍの濃度で含む水を循環させる循環式水槽システムの水循環方法が提供される。
また本発明によれば、循環式水槽システムの循環水に溶解させて使用する殺菌・消毒液組成物であって、第４級アンモニウム塩と、２−フェノキシエタノールと、第４級アンモニウム塩及び２−フェノキシエタノールを溶解するアルコールと、消泡剤とを含む循環式水槽システム用殺菌・消毒液組成物が提供される。
発明の好ましい実施の態様
以下本発明を更に詳細に説明する。
本発明の循環式水槽システムの水循環方法は、スーパー銭湯、温泉施設、宿泊施設の浴場、養護施設の浴場等の共同浴場、家庭用浴槽、屋内外プール等の水を循環させる装置を備える循環式水槽システムの水循環方法である。要するに、人が入浴等している際に安全に水を循環させる方法である。本発明の水循環方法は、特に、エアロゾルを発生させる渦流浴、泡風呂、ジャグジー又はこれらを複合した装置を備える循環式水槽システムの水循環方法に有効である。なお、本発明において循環させる水は、湯を含む意である。
本発明の水循環方法では、循環式水槽システムにおいて、第４級アンモニウム塩及び２−フェノキシエタノールを特定濃度で含み、且つ消泡剤を含む水を循環させることを特徴とする。
前記第４級アンモニア塩としては、例えば、オクチルトリメチルアンモニウムクロライド、デシルトリメチルアンモニウムクロライド、ドデシルトリメチルアンモニウムクロライド、テトラデシルトリメチルアンモニウムクロライド、ヘキサデシルトリメチルアンモニウムクロライド、オクタデシルトリメチルアンモニウムクロライド、オクタデセニルトリメチルアンモニウムクロライド、オクタデカジエニルトリメチルアンモニウムクロライド、ジオクチルトリメチルアンモニウムクロライド、ジデシルトリメチルアンモニウムクロライド、ジドデシルトリメチルアンモニウムクロライド、ジテトラデシルトリメチルアンモニウムクロライド、ジヘキサデシルトリメチルアンモニウムクロライド、ジオクタデシルトリメチルアンモニウムクロライド、ジオクタデセニルトリメチルアンモニウムクロライド、ジオクタデカジエニルトリメチルアンモニウムクロライド、オクチルジメチルエチルアンモニウムクロライド、デシルジメチルエチルアンモニウムクロライド、ドデシルジメチルエチルアンモニウムクロライド、テトラデシルジメチルエチルアンモニウムクロライド、ヘキサデシルジメチルエチルアンモニウムクロライド、オクタデシルジメチルエチルアンモニウムクロライド、オクタデセニルジメチルエチルアンモニウムクロライド、オクタデカジエニルジメチルエチルアンモニウムクロライド、ジオクチルジメチルエチルアンモニウムクロライド、ジデシルジメチルエチルアンモニウムクロライド、ジドデシルジメチルエチルアンモニウムクロライド、ジテトラデシルジメチルエチルアンモニウムクロライド、ジヘキサデシルジメチルエチルアンモニウムクロライド、ジオクタデシルジメチルエチルアンモニウムクロライド、ジオクタデセニルジメチルエチルアンモニウムクロライド、ジオクタデカジエニルジメチルエチルアンモニウムクロライド、オクチルジメチルベンジルアンモニウムクロライド、デシルジメチルベンジルアンモニウムクロライド、ドデシルジメチルベンジルアンモニウムクロライド、テトラデシルジメチルベンジルアンモニウムクロライド、ヘキサデシルジメチルベンジルアンモニウムクロライド、オクタデシルジメチルベンジルアンモニウムクロライド、オクタデセニルジメチルベンジルアンモニウムクロライド、オクタデカジエニルジメチルベンジルアンモニウムクロライド、ジオクチルジメチルベンジルアンモニウムクロライド、ジデシルジメチルベンジルアンモニウムクロライド、ジドデシルジメチルベンジルアンモニウムクロライド、ジテトラデシルジメチルベンジルアンモニウムクロライド、ジヘキサデシルジメチルベンジルアンモニウムクロライド、ジオクタデシルジメチルベンジルアンモニウムクロライド、ジオクタデセニルジメチルベンジルアンモニウムクロライド、ジオクタデカジエニルジメチルベンジルアンモニウムクロライド又はこれらの混合物等が挙げられる。これらは、市販品としての商品名「ＡＲＱＵＤ　ＣＢ−５０」、「ＡＲＱＵＤ　Ｓ−５０」（ライオンアクゾ株式会社製）等を用いることができる。
前記消泡剤としては、特に限定されないが、シリコン系消泡剤等が好ましく挙げられる。消泡剤の濃度は、水や湯の循環によって前記第４級アンモニウム塩により生じる泡を抑制しうる濃度であれば良く、適宜選択して決定することができる。
本発明の水循環方法において、循環させる水又は湯に溶解させる前記第４級アンモニウム塩及び２−フェノキシエタノールの濃度は、合計で１０〜１００ｐｐｍ、好ましくは２０〜８０ｐｐｍ、３０〜８０ｐｐｍである。１０ｐｐｍ未満では、所望の効果が十分に得られない恐れがあり、１００ｐｐｍを超える場合は量の割りに優位な効果が得られず経済的に不利である。
第４級アンモニウム塩と２−フェノキシエタノールとの割合は、適宜決定することができるが、質量比で通常、３０：７０〜７０：３０、好ましくは４０：６０〜６０：４０である。
本発明の水循環方法において、循環させる水には、本発明の所望の目的を損なわない範囲で、また、他の目的や本発明の目的を更に向上させるために、他の成分、例えば、他の殺菌剤や消毒剤、アルコール類等を適量含ませることもできる。しかし、塩素系殺菌剤は、特有の臭いがするので、使用する場合にはその割合を少なくすることが好ましい。
本発明の水循環方法では、第４級アンモニウム塩及び２−フェノキシエタノールを上記所定濃度で含む水を循環させるために、使用する循環水槽システムに応じて、水の減少、水の追加等を考慮し、後述する殺菌・消毒液組成物を適宜追加しうる装置等を設けて濃度調整を行なうことが好ましい。
本発明の水循環方法では、入浴者等の数、水量等にもよるが、少なくとも３０日ごとに循環する水を新水に取り替え、後述する殺菌・消毒液組成物を新たに添加することが好ましい。
本発明の水循環方法を実施するにあたり、循環させる水に上記第４級アンモニウム塩、２−フェノキシエタノール及び消泡剤を溶解させるには、後述する本発明の殺菌・消毒液組成物を所望量投入し溶解させることにより行なうことができる。投入は、１箇所でも良いが、数カ所に分けて投入することが好ましい。
本発明の循環式水槽システム用殺菌・消毒液組成物は、循環式水槽システムの循環水に溶解させて使用する殺菌・消毒液組成物であって、例えば、共同浴場における入浴者が入浴している際においても、人体に対して安全にレジオネラ属菌等の細菌の発生を抑止・防止することができる。該殺菌・消毒液組成物は、第４級アンモニウム塩と、２−フェノキシエタノールと、第４級アンモニウム塩及び２−フェノキシエタノールを溶解するアルコールと、消泡剤とを含む。
前記アルコールとしては、例えば、エタノール、イソプロピルアルコール又はこれらの混合物等が挙げられる。このアルコールを含まない場合には、循環式水槽システムにおいて循環させる水に、第４級アンモニウム塩と２−フェノキシエタノールとを十分に溶解させることができず、所定割合で溶解させることが困難となる。
本発明の殺菌・消毒液組成物において、第４級アンモニウム塩と、２−フェノキシエタノールと、これらを溶解するアルコールと、消泡剤との配合割合は、第４級アンモニウム塩と２−フェノキシエタノールとの割合が、質量比で通常、３０：７０〜７０：３０、好ましくは４０：６０〜６０：４０とし、アルコールの量をこれらが溶解する量以上とし、消泡剤の量を第４級アンモニウム塩により生じる泡を抑制する量とすれば良い。
本発明に用いる上記第４級アンモニウム塩及び２−フェノキシエタノールの混合物は、経口毒性試験において、濃度ＬＤ５０５０００ｍｇ／ｋｇにおいても安全性が確認できた。
本発明の殺菌・消毒液組成物には、所望に応じて他の成分を含ませることもできる。他の成分としては、他の殺菌剤、他の消毒剤、前記アルコール以外の溶解補助剤等が挙げられる。これらの配合割合は、目的に応じて適宜決定することができる。
本発明の殺菌・消毒液組成物を調製するには、第４級アンモニウム塩及び２−フェノキシエタノールが溶解するように各成分を混合することにより得ることができる。
本発明の循環式水槽システムの水循環方法では、第４級アンモニウム塩及び２−フェノキシエタノールを、所定濃度で、循環水に溶解させて、システム内を循環させるので、塩素系殺菌剤では充分でない、レジオネラ属菌等が生息するバイオフィルム等の形成抑制や、他の一般細菌及び大腸菌等の殺菌等を有効に行なうことができる。しかも、人体に対する害やシステムに対するダメージがなく実施することができる。更に、消泡剤を含むので、第４級アンモニウム塩による泡の発生を抑制することもできる。更にまた、塩素系殺菌剤を必須とする必要がないので塩素による特有の不快な臭いを抑制・防止することができる。
本発明の循環式水槽システム用殺菌・消泡液組成物は、第４級アンモニウム塩及び２−フェノキシエタノールが溶解した、特定のアルコール及び消泡剤を含むので、上記水循環方法において循環水や湯に所望量の第４級アンモニウム塩及び２−フェノキシエタノールを容易に溶解させることができ、所望の効果を得ることができる。
実施例
以下実施例及び比較例により、本発明を更に詳細に説明するが、本発明はこれらに限定されるものではない。
実施例１
第４級アンモニウム塩として、アルキルトリメチルアンモニウム塩３２０質量部、２−フェノキシエタノール３００質量部、イソプロピルアルコール３４０質量部及びシリコン系消泡剤４質量部を混合し循環式水槽システム用殺菌・消毒液を調製した。
総水量５０００ｍ３の薬用湯が入った循環式浴槽において、常法によりレジオネラ属菌を検出したところ陰性であった。この薬用湯に、上記殺菌・消毒液洗浄剤を２５０ｍｌ（第４級アンモニウム塩及び２−フェノキシエタノールの合計濃度５０ｐｐｍ）投入し、３日間その濃度に保つように殺菌・消毒液を追加しながら循環させ、１日あたり約１０００人入浴させた。毎日常法によりレジオネラ属菌を検出したところ、３日間全て陰性であった。
比較例１
実施例１で調製した殺菌・消毒液を用いずに、次亜塩素酸ナトリウム濃度が５〜１０ｐｐｍとなるように保って行なった以外は、実施例１と同様に入浴及びレジオネラ属菌の検出を行なった。その結果、１日後にレジオネラ属菌の発生が認められた。
実施例２
第４級アンモニウム塩として、市販品の「ＡＲＱＵＤ　ＣＢ−５０」（ライオンアクゾ株式会社製）３００質量部、２−フェノキシエタノール３５０質量部、イソプロピルアルコール３１０質量部及びシリコン系消泡剤４質量部を混合し循環式水槽システム用殺菌・消毒液を調製した。
総水量６０００ｍ３の浴湯が入った循環式浴槽において、常法によりレジオネラ属菌を検出したところ陰性であった。この浴湯に、上記殺菌・消毒液を３００ｍｌ（第４級アンモニウム塩及び２−フェノキシエタノールの合計濃度５０ｐｐｍ）投入し、３日間その濃度に保つように殺菌・消毒液を追加しながら循環させ、１日あたり約１５００人入浴させた。毎日常法によりレジオネラ属菌を検出したところ、３日間全て陰性であった。
比較例２
実施例２で調製した殺菌・消毒液を用いずに、次亜塩素酸ナトリウム濃度が２〜５ｐｐｍとなるように保って行なった以外は、実施例２と同様に入浴及びレジオネラ属菌の検出を行なった。その結果、１日後にレジオネラ属菌の発生が認められた。
比較例３
新築の大型浴場で、開業３ヶ月目における４系統の浴槽のうち、特に１系統の露天風呂について常法によりレジオネラ属菌の検出を行った。その結果、レジオネラ属菌が３００ＣＦＵ／１００ｍｌ検出された。そこで、次亜塩素系ナトリウム濃度を最大値遊離残留塩素２ｍｇ／Ｌにして２時間循環させ、その後、次亜塩素系ナトリウム濃度を人体に対する安全の範囲である０．４ｍｇ／Ｌに保って３日間２０００人／日の稼動をした後に再度レジオネラ属菌の検査を行った。その結果、レジオネラ属菌が１３００ＣＦＵ／１００ｍｌに増加していた。
実施例３
比較例３において、レジオネラ属菌が１３００ＣＦＵ／１００ｍｌ検出された４系統の浴場（総水量７００００リットル）に対して、実施例２で調製した殺菌・消毒液３．５リットル（５００ｐｐｍ）を投入し１循環させたところ大量のバイオフィルムが流出してきた。その後２回浴槽水を入れ替えた後にレジオネラ属菌及び一般細菌の検査をしたところ、両者とも検出されなかった。次いで、実施例２で調製した殺菌・消毒液の濃度が５０ｐｐｍ、塩素濃度は通常の水道水に投入する、高値の０．４ｍｇ／Ｌとし、７日間２０００人／日の稼動をした後に再度レジオネラ属菌及び一般細菌の検査を行った。その結果、いずれの菌も検出されなかった。
実施例４
総水量７００００ｍ３の浴湯が入った循環式浴槽において、常法によりレジオネラ属菌を検出したところ陰性であった。この浴湯に、実施例２で調製した殺菌・消毒液を、含有される第４級アンモニウム塩及び２−フェノキシエタノールの合計濃度が１０．０２〜１０．０５ｐｐｍとなるように濃度検出装置付きの自動注入装置を用いて浴湯中に投入しながら、３０日間浴湯を循環させ、営業を行った。１週間毎にレジオネラ属菌及び大腸菌の検出を行ったが、全て陰性であった。なお、この第４級アンモニウム塩及び２−フェノキシエタノールの合計濃度が約１０ｐｐｍの水は、飲用しても安全な濃度であることを確認した。
【国際調査報告】
2002030830.tif 000002
2002030830.tif 000003
2002030830.tif 000004